(57)【要約】【課題】簡素な方式で上アームのスイッチング素子を連続してオン状態にすることを可能にする。【解決手段】上アーム駆動回路16−１，16−２及び下アーム駆動回路14−１，14−２に共通の主電源回路10は、バッテリ12に接続されるトランスＴの一次側コイルＴＣ１に直列に接続されたスイッチング素子Ｓと、トランスＴの二次側コイルＴＣ２に接続されたダイオード13とを備えている。各下アーム駆動回路用の電源コンデンサＣ２，Ｃ４は各下アーム駆動回路の入力側にそれぞれ並列に接続されている。ブートストラップ回路用のコンデンサＣＢは各上アーム駆動回路の入力側にそれぞれ並列に接続され、各ブートストラップ回路17−１，17−２の一端が対応する電源コンデンサＣ２，Ｃ４に接続されている。補助電源18がトランスＴの一次側に接続され、補助電源18をブートストラップ回路用のコンデンサＣＢのプラス側端子に接続する給電回路19−１，19−２が設けられている。【選択図】図１
2014124025.tif 000002
【特許請求の範囲】
【請求項１】
上アーム及び下アームを構成する直列に接続された上アームスイッチング素子及び下アームスイッチング素子の直列回路が複数並列に接続され、各前記上アームスイッチング素子に対応してそれぞれ上アーム駆動回路が設けられ、各前記下アームスイッチング素子に対応してそれぞれ下アーム駆動回路が設けられたインバータ装置のスイッチング素子駆動電源回路であって、
直流電源に接続されるトランスと、前記トランスの一次側コイルに直列に接続されたスイッチング素子と、前記トランスの二次側コイルに接続された整流手段とを備え、前記各上アーム駆動回路及び前記各下アーム駆動回路に共通の主電源回路と、
前記各下アーム駆動回路の電源入力側にそれぞれ並列に接続された下アーム駆動回路用の電源コンデンサと、
前記各上アーム駆動回路の電源入力側にそれぞれ接続され、かつブートストラップ回路用のコンデンサが前記各上アーム駆動回路と並列に接続され、一端が対応する前記下アーム駆動回路用の電源コンデンサに接続されたブートストラップ回路と、
前記トランスの一次側に接続され、前記スイッチング素子のスイッチングサージを利用してエネルギーを蓄える補助電源と、
前記補助電源を前記ブートストラップ回路用のコンデンサのプラス側端子に接続する給電回路と
を備えていることを特徴とするインバータ装置のスイッチング素子駆動電源回路。
【請求項２】
前記補助電源は、ダイオードとコンデンサとで構成され、前記ダイオードはアノードが前記一次側コイルと前記スイッチング素子との接続点に接続され、カソードが前記コンデンサに接続されている請求項１に記載のインバータ装置のスイッチング素子駆動電源回路。
【請求項３】
前記給電回路は、ダイオードと抵抗が直列に接続されて構成され、前記ダイオードのアノード側が前記補助電源の前記ダイオードと前記コンデンサとの接続点に接続され、前記ダイオードのカソード側が前記ブートストラップ回路用のコンデンサのプラス端子側に接続されている請求項２に記載のインバータ装置のスイッチング素子駆動電源回路。
【発明の詳細な説明】
【技術分野】
【０００１】
本発明は、インバータ装置のスイッチング素子駆動電源回路に係り、詳しくは上アームのスイッチング素子を駆動する回路に特徴を有するインバータ装置のスイッチング素子駆動電源回路に関する。
【背景技術】
【０００２】
インバータ装置は、上アーム及び下アームと呼ばれるスイッチング素子が直列に接続された直列回路が複数並列に接続されて構成され、３相インバータでは３組の直列回路を備え、単相インバータでは２組の直列回路を備えている。そして、異なる直列回路の上アーム及び下アームのスイッチング素子が所定の順にオン、オフ制御されて、直流電力を交流電力に変換して出力する。
【０００３】
上アームのスイッチング素子用に複数の独立した電源を得る構成として、多出力トランスを用いる方式や、ブートストラップ回路を用いる方式などが知られている。
多出力トランスを用いる方式では、インバータ回路の電源の正負両極間に接続される一次巻線と、各駆動回路に対応する複数個の二次巻線とを備えて構成される。
【０００４】
また、ブートストラップ回路を用いる方式として、図３に示すものが提案されている（特許文献１参照）。このインバータは、図示しない太陽電池モジュールに接続されたコンバータに接続されて直流電力を供給される。インバータ５０は、スイッチング素子Ｑ１〜Ｑ４、スイッチング素子Ｑ１〜Ｑ４にゲートパルスを印加するゲート駆動回路５１−１〜５１−４、下アーム用のスイッチング素子Ｑ２，Ｑ４を駆動するゲート駆動回路５１−２，５１−４にゲート電源を供給するゲート電源回路５２、上アーム用のスイッチング素子Ｑ１，Ｑ３のゲート駆動回路５１−１，５１−３の電源として動作するゲート電源用コンデンサＣ１，Ｃ３を具備するブートストラップ回路を有している。
【先行技術文献】
【特許文献】
【０００５】
【特許文献１】特開２０１０−５７３３７号公報
【発明の概要】
【発明が解決しようとする課題】
【０００６】
ところが、多出力トランスを用いる方式では、電源回路の大型化やインバータ装置のコストが大きくなるなどの問題が発生する。また、特許文献１のブートストラップ回路を用いる方式では、上アームのゲート電源用コンデンサＣ１は下アームのスイッチング素子Ｑ２がオンのときにのみ充電され、ゲート電源用コンデンサＣ３は下アームのスイッチング素子Ｑ４がオンのときにのみ充電されるため、上アームのスイッチング素子Ｑ１，Ｑ３のオン時間が制限されるという問題がある。例えば、インバータをモータの駆動用に使用する場合、ＰＷＭ制御においてモータに所望の電力を供給するためにはデューティ比１００％で駆動しなければならない場合に、デューティ比１００％とすることができない事態が生じる場合があり、制御性が悪くなる。
【０００７】
本発明は、前記の問題に鑑みてなされたものであって、その目的は、簡素な方式で上アームのスイッチング素子を連続してオン状態にすることができるインバータ装置のスイッチング素子駆動電源回路を提供することにある。
【課題を解決するための手段】
【０００８】
上記課題を解決するインバータ装置のスイッチング素子駆動電源回路は、上アーム及び下アームを構成する直列に接続された上アームスイッチング素子及び下アームスイッチング素子の直列回路が複数並列に接続され、各前記上アームスイッチング素子に対応してそれぞれ上アーム駆動回路が設けられ、各前記下アームスイッチング素子に対応してそれぞれ下アーム駆動回路が設けられている。スイッチング素子駆動電源回路は、直流電源に接続されるトランスと、前記トランスの一次側コイルに直列に接続されたスイッチング素子と、前記トランスの二次側コイルに接続された整流手段とを備え、前記各上アーム駆動回路及び前記各下アーム駆動回路に共通の主電源回路と、前記各下アーム駆動回路の電源入力側にそれぞれ並列に接続された下アーム駆動回路用の電源コンデンサとを備えている。また、前記各上アーム駆動回路の電源入力側にそれぞれ接続され、かつブートストラップ回路用のコンデンサが前記各上アーム駆動回路と並列に接続され、一端が対応する前記下アーム駆動回路用の電源コンデンサに接続されたブートストラップ回路と、前記トランスの一次側に接続され、前記スイッチング素子のスイッチングサージを利用してエネルギーを蓄える補助電源と、前記補助電源を前記ブートストラップ回路用のコンデンサのプラス側端子に接続する給電回路とを備えている。ここで、「対応する前記下アーム駆動回路用の電源コンデンサ」とは、上アーム駆動回路で駆動される上アームスイッチング素子と直列に接続された下アームスイッチング素子を駆動する下アーム駆動回路と並列に接続されたコンデンサを意味する。
【０００９】
この構成によれば、各下アーム駆動回路は、各上アーム駆動回路及び各下アーム駆動回路に共通の主電源回路から供給される電力及び各下アーム駆動回路用の電源コンデンサに蓄電されたエネルギーを使用して下アームスイッチング素子を駆動する。一方、各上アーム駆動回路に給電回路を介して接続された補助電源には、主電源回路のスイッチング素子がターンオフされた際にサージ電圧によりエネルギーが蓄えられる。そして、各上アーム駆動回路は、各上アーム駆動回路及び各下アーム駆動回路に共通の主電源回路から供給される電力だけでなく、補助電源からも電力が供給される。そのため、従来のブートストラップ方式と異なり、ブートストラップ回路用のコンデンサに補助電源からも電力が供給されるため、上アームのオン時間が制限されず、オン時間を長くしても支障がない。したがって、簡素な方式で上アームのスイッチング素子を連続してオン状態にすることができる。
【００１０】
前記補助電源は、ダイオードとコンデンサとで構成され、前記ダイオードはアノードが前記一次側コイルと前記スイッチング素子との接続点に接続され、カソードが前記コンデンサに接続されていることが好ましい。この構成によれば、ダイオードとコンデンサの直列回路で補助電源が構成されるため、構成が簡単になる。
【００１１】
前記給電回路は、ダイオードと抵抗が直列に接続されて構成され、前記ダイオードのアノード側が前記補助電源の前記ダイオードと前記コンデンサとの接続点に接続され、前記ダイオードのカソード側が前記ブートストラップ回路用のコンデンサのプラス端子側に接続されていることが好ましい。この構成では、ブートストラップ回路用のコンデンサに蓄えられたエネルギーが給電回路を経て補助電源側へ放出されることが回避される。
【発明の効果】
【００１２】
本発明によれば、簡素な方式で上アームのスイッチング素子を連続してオン状態にすることができる。
【図面の簡単な説明】
【００１３】
【図１】第１の実施形態の構成を示す回路図。
【図２】第２の実施形態の回路図。
【図３】従来技術の構成を示す回路図。
【発明を実施するための形態】
【００１４】
（第１の実施形態）
以下、インバータ装置の第１の実施形態について説明する。
図１はインバータ装置のスイッチング素子駆動電源回路を構成する２相分の回路構成を示す。
【００１５】
図１に示すように、第１相の下アームを構成する下アームスイッチング素子としてのスイッチング素子Ｑ２を駆動する下アーム駆動用電源回路１１は、直流電源としてのバッテリ１２に接続されるトランスＴと、トランス用のスイッチング素子Ｓと、コンデンサＣ０と、整流手段としてのダイオード１３と、下アーム駆動回路１４−１用の電源コンデンサＣ２とを備えている。トランス用のスイッチング素子ＳはトランスＴの一次側コイルＴＣ１に直列に接続され、コンデンサＣ０はトランスＴの一次側においてバッテリ１２に並列に接続される。ダイオード１３は、アノードがトランスＴの二次側コイルＴＣ２に接続され、カソードが電源コンデンサＣ２のプラス端子側に接続されている。下アーム駆動回路用の電源コンデンサＣ２は下アーム駆動回路１４−１に並列に接続されている。バッテリ１２に接続されるトランスＴと、トランスＴの一次側コイルＴＣ１に直列に接続されたスイッチング素子Ｓと、トランスＴの二次側コイルＴＣ２に接続された整流手段としてのダイオード１３とは、各上アーム駆動回路及び各下アーム駆動回路に共通の主電源回路１０を構成する。
【００１６】
第１相の上アームを構成する上アームスイッチング素子としてのスイッチング素子Ｑ１を駆動する上アーム駆動用電源回路１５−１は、ブートストラップ回路１７−１と、補助電源１８と、給電回路１９−１とを備えている。ブートストラップ回路１７−１は、上アーム駆動回路１６−１と並列に接続されたブートストラップ回路用のコンデンサＣＢと、コンデンサＣＢ及び下アーム駆動回路用の電源コンデンサＣ２との間に接続されたブートストラップ回路用の抵抗ＲＢ及びダイオードＤＢの直列回路とで構成されている。ダイオードＤＢはアノードがダイオード１３と電源コンデンサＣ２との接続点に接続されている。
【００１７】
補助電源１８は、トランスＴの一次側に接続されるとともに、補助電源用のダイオードＤＡと、補助電源用のコンデンサＣＡとで構成され、ダイオードＤＡはアノードが一次側コイルＴＣ１とスイッチング素子Ｓとの接続点に接続され、カソードがコンデンサＣＡに接続されている。
【００１８】
給電回路１９−１は、ダイオードＤＳと抵抗ＲＳが直列に接続されて構成され、ダイオードＤＳはアノードが補助電源１８のダイオードＤＡとコンデンサＣＡとの接続点に接続され、カソードが抵抗ＲＳを介してブートストラップ回路用のコンデンサＣＢのプラス端子側に接続されている。即ち、ダイオードＤＳのアノード側が補助電源１８のダイオードＤＡとコンデンサＣＡとの接続点に接続され、カソード側がブートストラップ回路用のコンデンサＣＢのプラス端子側に接続されている。
【００１９】
また、第２相の下アームを構成する下アームスイッチング素子としてのスイッチング素子Ｑ４を駆動する下アーム駆動用電源回路は、下アーム駆動回路用の電源コンデンサＣ４が下アーム駆動回路１４−２に並列に接続されている。主電源回路１０のダイオード１３のカソードは電源コンデンサＣ４のプラス端子側に接続されている。即ち、第２相の下アーム駆動用電源回路は、スイッチング素子Ｓの駆動により電源コンデンサＣ４が充電されるようになっている。
【００２０】
また、第２相の上アームを構成する上アームスイッチング素子としてのスイッチング素子Ｑ３を駆動する上アーム駆動用電源回路１５−２は、ブートストラップ回路１７−２と、補助電源１８と、給電回路１９−２とを備えている。ブートストラップ回路１７−２は、上アーム駆動回路１６−２と並列に接続されたブートストラップ回路用のコンデンサＣＢと、コンデンサＣＢ及び下アーム駆動回路用の電源コンデンサＣ４との間に接続されたブートストラップ回路用の抵抗ＲＢ及びダイオードＤＢの直列回路とで構成されている。
【００２１】
補助電源１８は第１相のスイッチング素子Ｑ１を駆動する上アーム駆動用電源回路１５−１と共用し、給電回路１９−２は、ダイオードＤＳと抵抗ＲＳが直列に接続されて構成され、一端が補助電源１８のダイオードＤＡとコンデンサＣＡとの接続点に接続され、他端がブートストラップ回路用のコンデンサＣＢのプラス端子側に接続されている。
【００２２】
スイッチング素子Ｑ１，Ｑ２，Ｑ３，Ｑ４としてＭＯＳＦＥＴが使用され、上アームのスイッチング素子Ｑ１，Ｑ３のドレインが、バッテリ１２のプラス端子に接続され、下アームのスイッチング素子Ｑ２，Ｑ４のソースが接地されている。なお、図示しないが、各スイッチング素子Ｑ１〜Ｑ４にはＭＯＳＦＥＴの寄生ダイオードが逆並列に接続されている。第１相のスイッチング素子Ｑ１，Ｑ２の間の接続点は第１の出力端子になり、第２相のスイッチング素子Ｑ３，Ｑ４の間の接続点は第２の出力端子になる。
【００２３】
即ち、インバータ装置は、上アームを構成するスイッチング素子Ｑ１，Ｑ３及び下アームを構成するスイッチング素子Ｑ２，Ｑ４が１つずつ直列に接続されたスイッチング素子Ｑ１，Ｑ３及びスイッチング素子Ｑ２，Ｑ４の直列回路が複数並列に接続されている。スイッチング素子Ｑ１，Ｑ３に対応してそれぞれ上アーム駆動回路１６−１，１６−２が設けられ、各スイッチング素子Ｑ２，Ｑ４に対応してそれぞれ下アーム駆動回路１４−１，１４−２が設けられている。
【００２４】
インバータ装置が単相インバータの場合は、上アーム及び下アームの直列回路は２相（２組）となり、インバータ装置が３相インバータの場合は、第３相の上アーム及び下アームを構成するスイッチング素子が直列に接続された直列回路がさらに設けられる。
【００２５】
第３相の下アーム駆動用電源回路は、第２相の下アーム駆動用電源回路と同様に構成され、下アーム駆動回路に並列に接続された下アーム駆動回路用の電源コンデンサが、第１相の下アーム駆動用電源回路１１のスイッチング素子Ｓの駆動により、充電されるようになっている。第３相の上アーム駆動用電源回路は、第２相の上アーム駆動用電源回路１５−２と同様に構成され、補助電源１８を第１相の上アーム駆動用電源回路１５−１と共用する。そして、上アームのスイッチング素子と下アームのスイッチング素子との間の接続点は第３の出力端子になる。
【００２６】
制御装置２０は、スイッチング素子Ｓ、下アーム駆動回路１４−１，１４−２及び上アーム駆動回路１６−１，１６−２を制御する。第３相の上アーム及び下アームの直列回路が有る場合は、その下アーム駆動回路及び上アーム駆動回路も制御する。制御装置２０は、スイッチング素子Ｓを下アーム駆動回路１４−１，１４−２等のスイッチング周期より短い周期でスイッチングするようになっている。
【００２７】
次に前記のように構成されたインバータ装置の作用を説明する。
インバータ装置の上アーム駆動回路１６−１，１６−２及び下アーム駆動回路１４−１，１４−２は、制御装置２０からの制御信号によりスイッチング素子Ｑ１〜Ｑ４をスイッチング制御する。各相の上アームのスイッチング素子Ｑ１，Ｑ３は同時にオン状態にはならず、交互にオン状態になる。また、スイッチング素子Ｑ１がオンのときはスイッチング素子Ｑ２はオフになり、スイッチング素子Ｑ２がオンのときはスイッチング素子Ｑ１はオフになり、スイッチング素子Ｑ３がオンのときはスイッチング素子Ｑ４はオフになり、スイッチング素子Ｑ４がオンのときはスイッチング素子Ｑ３はオフになる。
【００２８】
スイッチング素子Ｓは、制御装置２０からの駆動信号によりスイッチング、即ちオン、オフ駆動される。スイッチング素子Ｓがオンになると、バッテリ１２からトランスＴの一次側コイルＴＣ１に電流が流れるとともに、誘起起電力により二次側コイルＴＣ２にも電流が流れる。そして、二次側コイルＴＣ２を流れる電流は下アーム駆動回路１４−１，１４−２の電源コンデンサＣ２，Ｃ４を充電する。
【００２９】
スイッチング素子Ｓがターンオフされた際に、一次側回路に生じるサージ電圧（スパイク状の高電圧）により補助電源１８のコンデンサＣＡが充電される。即ち、スイッチング素子Ｓのスイッチングサージを利用して補助電源１８のコンデンサＣＡにエネルギーが蓄えられる。そして、コンデンサＣＡにはブートストラップ回路１７−１，１７−２のコンデンサＣＢの電圧より高い電圧状態で充電された状態になる。そして、スイッチング素子Ｓは、各下アーム駆動回路１４−１，１４−２及び各上アーム駆動回路１６−１，１６−２の駆動と独立してスイッチング制御されるため、補助電源１８のコンデンサＣＡの電圧は常にブートストラップ回路１７−１，１７−２のコンデンサＣＢの電圧より高い状態になる。また、スイッチング素子Ｓのスイッチング周期は、下アーム駆動回路１４−１，１４−２のスイッチング周期より短く設定されているため、補助電源１８のコンデンサＣＡは常にブートストラップ回路１７−１，１７−２のコンデンサＣＢに電力を供給可能な状態になる。そして、給電回路１９−１，１９−２にはコンデンサＣＡからコンデンサＣＢに向かう電流が流れる状態となる。
【００３０】
また、従来のブートストラップ方式と同様に、下アーム駆動回路１４−１（又は下アーム駆動回路１４−２）がオンの状態、即ちスイッチング素子Ｑ２（又はスイッチング素子Ｑ４）がオンの状態で、二次側コイルＴＣ２に電力が流れるときはその電流がブートストラップ回路１７−１（又はブートストラップ回路１７−２）のコンデンサＣＢを充電する。
【００３１】
したがって、各上アーム駆動回路１６−１，１６−２のコンデンサＣＢは、従来のブートストラップ式と同様に対応する下アーム駆動回路がオンの状態の時に充電されるだけでなく、補助電源１８から供給される電力で充電される。その結果、従来のブートストラップ方式と異なり、上アームのオン時間が制限されず、オン時間を長くしても支障がない。上アーム駆動用電源回路１５−１，１５−２は、従来のブートストラップ方式の構成に、補助電源１８と給電回路１９−１，１９−２と加えるという簡単な構成であり、多出力トランスを用いた場合と異なりコストは高くならない。したがって、簡素な方式で上アームのスイッチング素子を連続してオン状態にすることができる。
【００３２】
この実施形態によれば、以下に示す効果を得ることができる。
（１）スイッチング素子駆動電源回路は、上アーム及び下アームを構成する直列に接続された上アームのスイッチング素子Ｑ１及び下アームのスイッチング素子Ｑ２の直列回路、上アームのスイッチング素子Ｑ３及び下アームのスイッチング素子Ｑ４の直列回路が並列に接続されている。各上アームのスイッチング素子Ｑ１，Ｑ３に対応してそれぞれ上アーム駆動回路１６−１，１６−２が設けられ、各下アームのスイッチング素子Ｑ２，Ｑ４に対応してそれぞれ下アーム駆動回路１４−１，１４−２が設けられている。スイッチング素子駆動電源回路は、バッテリ１２に接続されるトランスＴと、トランスＴの一次側コイルＴＣ１に直列に接続されたスイッチング素子Ｓと、トランスＴの二次側コイルＴＣ２に接続されたダイオード１３とを備え、各上アーム駆動回路１６−１，１６−２及び各下アーム駆動回路１４−１，１４−２に共通の主電源回路１０を備えている。各下アーム駆動回路１４−１，１４−２の電源入力側に下アーム駆動回路用の電源コンデンサＣ２，Ｃ４がそれぞれ並列に接続されている。各上アーム駆動回路１６−１，１６−２の電源入力側にブートストラップ回路用のコンデンサＣＢがそれぞれ並列に接続され、かつブートストラップ回路１７−１，１７−２の一端が対応する下アーム駆動回路用の電源コンデンサＣ２，Ｃ４に接続されている。また、各上アーム駆動回路１６−１，１６−２の電源としての上アーム駆動用電源回路１５−１，１５−２は、トランスＴの一次側に接続され、スイッチング素子Ｓのスイッチングサージを利用してエネルギーを蓄える補助電源１８と、補助電源１８をブートストラップ回路用のコンデンサＣＢのプラス側端子に接続する給電回路１９−１，１９−２とを備えている。したがって、簡素な方式で上アームのスイッチング素子Ｑ１，Ｑ３を連続してオン状態にすることができる。
【００３３】
（２）補助電源１８は、ダイオードＤＡとコンデンサＣＡとで構成され、ダイオードＤＡはアノードが一次側コイルＴＣ１とスイッチング素子Ｓとの接続点に接続され、カソードがコンデンサＣＡに接続されていることが好ましい。この構成によれば、ダイオードＤＡとコンデンサＣＡの直列回路で補助電源１８が構成されるため、構成が簡単になる。
【００３４】
（３）給電回路１９−１，１９−２は、ダイオードＤＳと抵抗ＲＳが直列に接続されて構成され、一端が補助電源１８のダイオードＤＡとコンデンサＣＡとの接続点に接続され、他端がブートストラップ回路用のコンデンサＣＢのプラス端子側に接続されていることが好ましい。この構成では、ブートストラップ回路用のコンデンサＣＢに蓄えられたエネルギーが給電回路１９−１，１９−２を経て補助電源１８側へ放出されることが回避される。
【００３５】
（第２の実施形態）
次に第２の実施形態を図２にしたがって説明する。この実施形態では、給電回路１９−１，１９−２に各上アーム駆動回路１６−１，１６−２の駆動信号に連動するスイッチ回路（スイッチング回路）を設けた点が第１の実施形態と異なる。第１の実施形態と同様の部分については同一符号を付して詳しい説明を省略する。なお、図２は第１相の上アーム及び下アームの駆動用の回路構成のみを示している。
【００３６】
図２に示すように、補助電源１８とブートストラップ回路１７−１のコンデンサＣＢとを接続する給電回路１９−１には、スイッチ回路２１が設けられている。スイッチ回路２１は、例えば、スイッチング素子で構成され、制御装置２０からの駆動信号により駆動される。スイッチ回路２１をオンにする駆動信号は、上アーム駆動回路１６−１への駆動信号と同期して出力され、スイッチ回路２１は上アーム駆動回路１６−１がオンになるときのみオン状態になる。第２相の上アーム駆動用の回路構成も同様に、給電回路１９−２に同様のスイッチ回路が設けられている。
【００３７】
従って、第２の実施形態によれば、第１の実施形態に記載の（１）〜（３）効果に加えて以下の効果を得ることができる。
（４）スイッチング素子Ｓは上アーム駆動回路１６−１，１６−２の駆動とは独立して駆動される。そのため、スイッチ回路２１が無い場合は、ブートストラップ回路１７−１のコンデンサＣＢに充電された電圧が必要以上に高くなり、上アーム駆動回路１６−１，１６−２の駆動（スイッチング）が円滑に行われなくなる虞がある。しかし、この実施形態では、上アーム駆動回路１６−１，１６−２がオンになるときのみ補助電源１８からコンデンサＣＢに対する充電が可能になる。その結果、充電されたコンデンサＣＢの電圧が必要以上に高くなることが回避される。また、補助電源１８の容量を小さくすることができ、小型化を図ることができる。
【００３８】
実施形態は前記に限定されるものではなく、例えば、次のように具体化してもよい。
○  スイッチング素子Ｑ１〜Ｑ４はＭＯＳＦＥＴに限らず、他のパワートランジスタ（例えば、ＩＧＢＴ（絶縁ゲートバイポーラ型トランジスタ））やサイリスタを使用してもよい。
【００３９】
○  給電回路１９−１，１９−２を構成するダイオードＤＳの位置は、スイッチング素子Ｓがオンのときにブートストラップ回路１７−１，１７−２のコンデンサＣＢから補助電源１８のコンデンサＣＡに電流が流れるのを防止する位置であればよい。例えば、ダイオードＤＳと抵抗ＲＳの直列回路は、ダイオードＤＳのカソードがブートストラップ回路用のコンデンサＣＢのプラス端子側に接続され、ダイオードＤＳのアノードが抵抗ＲＳを介して補助電源１８のダイオードＤＡとコンデンサＣＡとの接続点に接続されてもよい。即ち、ダイオードＤＳのアノード側が補助電源１８のダイオードＤＡとコンデンサＣＡとの接続点に接続され、ダイオードＤＳのカソード側がブートストラップ回路用のコンデンサＣＢのプラス端子側に接続されていればよい。
【００４０】
○  給電回路１９−１，１９−２に設けられるスイッチ回路２１は、抵抗ＲＳとコンデンサＣＢとの間に限らず、ダイオードＤＳと抵抗ＲＳとの間や、ダイオードＤＳのアノード側に設けられてもよい。
【００４１】
○  トランスＴの一次側コイルＴＣ１に接続されたスイッチング素子Ｓのスイッチング周期は、下アーム駆動回路１４−１，１４−２のオン、オフ周期より短く設定され、かつ下アーム駆動回路１４−１，１４−２のオン、オフ周期の変更に対応して変更されるようにしてもよい。スイッチング素子Ｓのスイッチング周期は、下アーム駆動回路１４−１，１４−２のスイッチング周期より短く設定されていれば、補助電源１８のコンデンサＣＡは常にブートストラップ回路１７−１，１７−２のコンデンサＣＢに電力を供給可能な状態になる。しかし、下アーム駆動回路１４−１，１４−２のオン、オフ周期は常に一定とは限らず、インバータ装置に要求される出力状態によって変更される場合がある。スイッチング素子Ｓのスイッチング周期を下アーム駆動回路１４−１，１４−２のスイッチング周期の最短の状態より短く設定すれば、補助電源１８のコンデンサＣＡは常にブートストラップ回路１７−１，１７−２のコンデンサＣＢに電力を供給可能な状態になる。しかし、その場合、下アーム駆動回路１４−１，１４−２のスイッチング周期が長い状態が続くと、コンデンサＣＡに必要以上に充電された状態になるため、コンデンサＣＡの容量を大きくする必要がある。スイッチング素子Ｓのスイッチング周期を下アーム駆動回路１４−１，１４−２のオン、オフ周期の変更に対応して変更することにより、コンデンサＣＡの容量を大きくする必要がない。
【００４２】
○  トランスＴの一次側にバッテリ１２と並列に接続されたコンデンサＣ０を省略してもよい。しかし、コンデンサＣ０が並列に接続された構成では、スイッチング素子Ｓがオンになった際に、一次側コイルＴＣ１に大電流が必要な場合でも円滑に電流が供給される。
【００４３】
○  各上アーム及び各下アームをそれぞれ１個のスイッチング素子及び１個のダイオードで構成されているものとして説明したが、各アームを流れる電流量が大きな場合は、各アームをスイッチング素子とダイオードの組が複数並列に接続された構成としても差し支えない。
【００４４】
○  直流電源はバッテリ１２に限らず、商用交流電源をＡＣ／ＤＣコンバータで変換した直流を供給する構成であってもよい。
○  インバータ装置はモータの駆動電源に限らず、モータ以外の交流の電気機器の電源に使用してもよい。
【００４５】
以下の技術的思想（発明）は前記実施形態から把握できる。
（１）請求項１〜請求項３のいずれか１項に記載の発明において、前記給電回路は、その給電回路が接続された前記上アーム駆動回路のオン状態のときにのみオン状態になるスイッチ回路を備えている。
【００４６】
（２）請求項１〜請求項３及び前記技術的思想（１）のいずれか１項に記載の発明において、前記トランスの一次側コイルに接続されたスイッチング素子のスイッチング周期は、前記下アーム駆動回路のオン、オフ周期より短く設定され、かつ前記下アーム駆動回路のオン、オフ周期の変更に対応して変更される。
【符号の説明】
【００４７】
Ｔ…トランス、Ｓ…スイッチング素子、Ｃ０，ＣＡ，ＣＢ…コンデンサ、Ｃ２，Ｃ４…電源コンデンサ、ＤＡ，ＤＢ，ＤＳ，１３…ダイオード、Ｑ１，Ｑ３…上アームスイッチング素子としてのスイッチング素子、Ｑ２，Ｑ４…下アームスイッチング素子としてのスイッチング素子、ＲＢ，ＲＳ…抵抗、ＴＣ１…一次側コイル、ＴＣ２…二次側コイル、１０…主電源回路、１４−１，１４−２…下アーム駆動回路、１６−１，１６−２…上アーム駆動回路、１７−１，１７−２…ブートストラップ回路、１８…補助電源、１９−１，１９−２…給電回路。
【図１】
2014124025.tif 000003
【図２】
2014124025.tif 000004
【図３】
2014124025.tif 000005